(57)【特許請求の範囲】
【請求項１】
収納した商品を払い出す商品払出し装置と、この商品払出し装置を収容する収容ケースとを備え、
前記収容ケース内に、一の商品払出し装置と、該一の商品払出し装置に収納される商品とは大きさの異なる商品を収納する他の商品払出し装置とを選択的に取付可能な装着台を設け、
前記一及び他の商品払出し装置は、商品を収納する商品収納ケースと、回転操作されることで商品収納ケース内の商品を送り出す払出しローラと、この払出しローラと一体回転する払出しギヤとを備え、
前記装着台に、商品の送り出し操作をする操作ハンドルの回転操作に連動して回転し且つ該操作ハンドルの操作力を払出しローラに伝達すべく前記払出しギヤに噛み合う伝達ギヤを設け、
前記一及び他の商品払出し装置の払出しギヤを上方から配置することにより、該払出しギヤが伝達ギヤに噛み合うよう構成されていることを特徴とする販売装置。
【請求項２】
収容ケース側に、払出しローラの回転を規制すべくロックされていて正規コインの投入により該ロックが解除される払出規制ギヤと、この払出規制ギヤに連動する連動ギヤとを備え、
前記一及び他の商品払出し装置の払出しギヤが前記伝達ギヤと前記連動ギヤとの両方に噛み合うよう構成したことを特徴とする請求項１に記載の販売装置。
【請求項３】
商品収納ケースの底部に払出しローラ及び払出しギヤを取り付け、該商品収納ケースを装着台に上方から載置することにより、払出しギヤが伝達ギヤと連動ギヤとに噛み合うよう構成したことを特徴とする請求項２に記載の販売装置。
【請求項４】
前記収容ケースは、前面側が開放状とされたケース本体と、このケース本体の前面開口を開閉可能に閉鎖する前面扉とを備え、前記前面扉に、一の商品払出し装置を装着台に取付けた場合に該一の商品払出し装置から払い出された商品を排出し、且つ他の商品払出し装置を装着台に取付けた場合に該他の商品払出し装置から払い出された商品を排出する排出口を設けたことを特徴とする請求項１〜３のいずれか１項に記載の販売装置。
【請求項５】
商品払出し装置は、商品を上下方向に積み重ねて収納可能とされた商品収納ケースと、
該商品収納ケース内の最下端の商品を送り出す払出しローラと、下から２番目以上の商品の送り出しを阻止する衝立部材とを備え、
スライド操作されることにより前記衝立部材の上下位置を調整するスライド部材を有する上下位置調整機構を設けたことを特徴とする請求項１〜４のいずれか１項に記載の販売装置。
【請求項６】
前記収容ケース内の後部に、少なくとも、前記一の商品払出し装置又は前記他の商品払出し装置の何れか一方を収納可能であって且つ前記装着台に取り付けられない商品払出し装置を収容可能な収容スペースを設けたことを特徴とする請求項１〜４のいずれか１項に記載の販売装置。
【発明の詳細な説明】
【技術分野】
【０００１】
本発明は、主にカード等の紙葉類からなる商品を払い出す販売装置に関するものである。
【背景技術】
【０００２】
カードを払い出す販売装置として特許文献１に記載のカード販売装置がある。
このカード販売装置は、前面開放状の箱形のケース本体と、このケース本体の前面開口を開閉自在に閉鎖する前面扉とを備えてなる収容ケースを有する。
前記収容ケースの内部にはカード払出し装置が収容されている。このカード払出し装置は、カードが収納されるカード収納ケースと、回転操作されることによりカード収納ケース内のカードを送り出す払出しローラと、この払出しローラを回転操作する操作ハンドルとを有する。
【先行技術文献】
【特許文献】
【０００３】
【特許文献１】特開２００５−３５３０７７号公報
【発明の概要】
【発明が解決しようとする課題】
【０００４】
カード販売装置によって販売されるカードは、大きさの異なる（幅及び長さの異なる）カードが複数存在し、カード払出し装置はカードの大きさに対応して形成される。したがって、カード払出し装置は、カードの大きさに対応して、複数種類存在する。
従来のカード販売装置は１つの種類のカードに対応して形成される専用機である。したがって、従来にあっては、カード販売装置は販売するカードの大きさの種類ごとに形成され、収容ケースはカード払出し装置の種類ごとに形成されるものであり、コスト高であった。
【０００５】
また、既に設置しているカード販売装置を、該カード販売装置で販売されるカードとは異なる種類のカードを販売するカード販売装置に換えるときには、カード販売装置ごと換えなければならず不便であった。
そこで、本発明は、前記問題点を解決することを課題とする。
【課題を解決するための手段】
【０００６】
前記技術的課題を解決するために本発明が講じた技術的手段は、以下に示す点を特徴とする。
請求項１に係る発明では、収納した商品を払い出す商品払出し装置と、この商品払出し装置を収容する収容ケースとを備え、前記収容ケース内に、一の商品払出し装置と、該一の商品払出し装置に収納される商品とは大きさの異なる商品を収納する他の商品払出し装置とを選択的に取付可能な装着台を設け、
前記一及び他の商品払出し装置は、商品を収納する商品収納ケースと、回転操作されることで商品収納ケース内の商品を送り出す払出しローラと、この払出しローラと一体回転する払出しギヤとを備え、
前記装着台に、商品の送り出し操作をする操作ハンドルの回転操作に連動して回転し且つ該操作ハンドルの操作力を払出しローラに伝達すべく前記払出しギヤに噛み合う伝達ギヤを設け、
前記一及び他の商品払出し装置の払出しギヤを上方から配置することにより、該払出しギヤが伝達ギヤに噛み合うよう構成されていることを特徴とする。
【０００７】
請求項２に係る発明では、収容ケース側に、払出しローラの回転を規制すべくロックされていて正規コインの投入により該ロックが解除される払出規制ギヤと、この払出規制ギヤに連動する連動ギヤとを備え、
前記一及び他の商品払出し装置の払出しギヤが前記伝達ギヤと前記連動ギヤとの両方に噛み合うよう構成したことを特徴とする。
【０００８】
請求項３に係る発明では、商品収納ケースの底部に払出しローラ及び払出しギヤを取り付け、該商品収納ケースを装着台に上方から載置することにより、払出しギヤが伝達ギヤと連動ギヤとに噛み合うよう構成したことを特徴とする。
請求項４に係る発明では、前記収容ケースは、前面側が開放状とされたケース本体と、このケース本体の前面開口を開閉可能に閉鎖する前面扉とを備え、前記前面扉に、一の商品払出し装置を装着台に取付けた場合に該一の商品払出し装置から払い出された商品を排出し、且つ他の商品払出し装置を装着台に取付けた場合に該他の商品払出し装置から払い出された商品を排出する排出口を設けたことを特徴とする。
【０００９】
請求項５に係る発明では、商品払出し装置は、商品を上下方向に積み重ねて収納可能とされた商品収納ケースと、該商品収納ケース内の最下端の商品を送り出す払出しローラと、下から２番目以上の商品の送り出しを阻止する衝立部材とを備え、
スライド操作されることにより前記衝立部材の上下位置を調整するスライド部材を有する上下位置調整機構を設けたことを特徴とする。
【００１０】
請求項６に係る発明では、前記収容ケース内の後部に、少なくとも前記一の商品払出し装置又は前記他の商品払出し装置の何れか一方を収納可能であって且つ前記装着台に取り付けられない商品払出し装置を収容可能な収容スペースを設けたことを特徴とする。
【発明の効果】
【００１１】
本発明によれば、以下の効果を奏する。
１つの収容ケースに、一の商品払出し装置と、該一の商品払出し装置に収納される商品とは大きさの異なる商品を収納する他の商品払出し装置とを選択的に取付可能であるので、コスト低減を図ることができる。
また、販売装置を、該販売装置に収納された商品とは大きさの異なる商品を販売する販売装置に換える際にあっては、商品払出し装置だけを交換すればよく、至便である。
【図面の簡単な説明】
【００１２】
【図１】カード販売ユニットの斜視図である。
【図２】（ａ）はカード販売装置の正面図であり、（ｂ）はカード販売装置の側面図である。
【図３】（ａ）は装着台に幅狭カード用のカード払出し装置を取り付けた状態の側面図であり、（ｂ）は装着台に幅広カード用のカード払出し装置を取り付けた状態の側面図である。
【図４】装着台に幅狭カード用のカード払出し装置を取り付けた状態の斜視図である。
【図５】装着台に幅広カード用のカード払出し装置を取り付けた状態の斜視図である。
【図６】前面扉を開いた状態の側面図である。
【図７】（ａ）は前面扉を引き出して開いた状態の平面図であり、（ｂ）は前面扉を引き出して開いた状態の側面図である。
【図８】前面扉の枢支部分の斜視図である。
【図９】（ａ）は商品陳列部の斜視図であり、（ｂ）は商品陳列部の平面図である。
【図１０】内容表示部を示す斜視図である。
【図１１】内容表示部の裏側の斜視図である。
【図１２】（ａ）はコード読取装置の正面図であり、（ｂ）はコード表示部を表示シートの裏側から見た図である。
【図１３】カード排出口を裏側から見た斜視図である。
【図１４】カード排出口の左側を裏側から見た背面図である。
【図１５】装着台等の斜視図である。
【図１６】装着台の下部材及び内部操作ハンドルとギヤの配置とを示した平面図である。
【図１７】外部操作ハンドルと内部操作ハンドルとの関係を示す平面図である。
【図１８】（ａ）は内部操作ハンドルの斜視図であり、（ｂ）は内部操作ハンドルの正面図であり、（ｃ）は内部操作ハンドルの前部材の背面図であり、（ｄ）は内部操作ハンドルの後部材の斜視図である。
【図１９】（ａ）は外部操作ハンドルの正面側の斜視図であり、（ｂ）は外部操作ハンドルの背面側の斜視図であり、（ｃ）は外部操作ハンドルの背面図である。
【図２０】幅狭カード用のカード払出し装置の下部内部の側面図である。
【図２１】幅広カード用のカード払出し装置の下部内部の側面図である。
【図２２】幅狭カード用のカード払出し装置の底部の斜視図である。
【図２３】幅広カード用のカード払出し装置の底部の斜視図である。
【図２４】払出しギヤの噛合関係を示す側面図である。
【図２５】幅狭カード用の払出しローラを配置した状態の斜視図である。
【図２６】幅広カード用の払出しローラ等を配置した状態の斜視図である。
【図２７】幅狭カード用のカード払出し装置の下部の斜視図である。
【図２８】幅狭カード用のカード払出し装置の下部の側面図である。
【図２９】幅広カード用のカード払出し装置の下部の正面図である。
【図３０】幅広カード用のカード払出し装置の下部のスライド部材を外した状態の正面図である。
【発明を実施するための形態】
【００１３】
以下、本発明の実施の形態を図面を参照して説明する。
図１において、符号４は、カード（商品）を１枚ずつ販売する、又はカードを複数枚重ねて帯で結束したカード束（商品）を販売するカード販売装置１（商品販売装置）を上下方向に複数段（本実施形態では３段）積み重ねると共に、最上段のカード販売装置の上面側にヘッド部材２を取り付け、最下段のカード販売装置の下面側に台座３を取り付けてなるカード販売ユニット４（商品販売ユニット）である。
【００１４】
このカード販売ユニット４は、他のカード販売ユニットやカード以外の販売ユニット（例えば、カプセルに入った玩具を販売する販売装置を上下方向に複数段設けた販売ユニット）を左右方向で連結可能とされ、台座３の前部に連結金具を係合させるための被連結部５が設けられている。また、左右方向に並べて配置される販売ユニットの背面側は、該販売ユニットの背面にボルト固定される図示省略の連結プレートによって連結される。
【００１５】
各カード販売装置１は、図２及び図３に示すように、上下左右及び後面が閉塞され且つ
前面側が開放状とされた箱形のケース本体６と、このケース本体６の前面開口を開閉可能に閉鎖する前面扉７とからなる収容ケース８を備えている。
図３に示すように、ケース本体６の底壁６ａは、該ケース本体６の前面の開口面(側壁６ｂ及び上壁６ｃの前端)から前方に突出しており、この底壁６ａ上には装着台９が取り付けられている。この装着台９上には、商品が収容されると共に該商品を下端側にて前方に払い出し可能としたカード払出し装置１０Ａ，１０Ｂ（商品払出し装置）が着脱可能に装着される。
【００１６】
販売されるカードは、大きさの異なる（幅及び長さの異なる）カードが複数存在し、カード払出し装置１０Ａ，１０Ｂはカードの大きさに対応して形成される。したがって、カード払出し装置１０Ａ，１０Ｂは、カードの大きさに対応して、複数種類存在する。
本実施形態にあっては、図３に示すように、前記装着台９に、カードの大きさに合わせて形成された複数種類のカード払出し装置１０Ａ，１０Ｂを選択的に装着可能（付け替え可能）としている。具体的には、左右幅の狭いカード又はカード束を払い出す幅狭カード用のカード払出し装置１０Ａと、左右幅の広いカード又はカード束を払い出す幅広カード用のカード払出し装置１０Ｂとの２種のカード払出し装置１０が選択的に装着可能とされている。
【００１７】
なお、本実施形態では、２種のカード払出し装置１０Ａ，１０Ｂを付け替え可能としているが、３種以上のカード払出し装置を付け替え可能としてもよい。
図３（ａ）及び図４は、装着台９に幅狭カード用のカード払出し装置１０Ａを取り付けた状態を示し、図３（ｂ）及び図５は、装着台９に幅広カード用のカード払出し装置１０Ｂを取り付けた状態を示している。
【００１８】
本実施形態では、幅狭カード用のカード払出し装置１０Ａを備えたカード販売装置１と、幅広カード用のカード払出し装置１０Ｂを備えたカード販売装置１とで共通の収容ケース８となっているので、コスト低下を図ることができる。
また、幅狭カード用のカード払出し装置１０Ａを備えたカード販売装置１と、幅広カード用のカード払出し装置１０Ｂを備えたカード販売装置１とを上下に積み重ねても違和感はない。
【００１９】
また、カード販売ユニット４の内の１つ又は２つのカード販売装置１を、大きさの異なる他の種類のカードを販売するカード販売装置１に換えるときにあっても、カード払出し装置１０Ａ,１０Ｂだけを交換すればよく、至便である。
図３に示すように、装着台９はケース本体６の底壁６ａに前部寄りに取り付けられていて、ケース本体６の内部の後部側には、装着台９に取り付けられない他のカード払出し装置１０Ａ,１０Ｂ又はその他の部材（例えば、装着台９に装着されたカード払出し装置１０Ａ,１０Ｂに収容されるカード又はカード束）を収容可能な収容スペース１１が設けられている。
【００２０】
なお、この収容スペース１１は、少なくとも、幅狭カード用のカード払出し装置１０Ａ又は幅広カード用のカード払出し装置１０Ｂの何れか一方を収容可能とされていればよい。
また、ケース本体６の底壁６ａがケース本体６の開口面から前方に突出しており、この底壁６ａ上に取り付けられた装着台９の前部もケース本体６の開口面から前方に突出するようになっているので、カード払出し装置１０Ａ,１０Ｂの装着・取外しが容易に行える。
【００２１】
図２に示すように、前記前面扉７は、その前面部７ａがケース本体６の開口面から前方に離間した形状とされている。したがって、前面扉７の左右の側部７ｂは、装着台９やカード払出し装置１０Ａ,１０Ｂの、ケース本体６から突出した部分の側方を覆うように、前面扉７の前面部７ａの左右両側から後方に向けて延出状とされ、左右一方の側部７ｂ（本実施形態では右側の側部）の後端側がケース本体６の側壁６ｂの前端側にヒンジ１２を介して上下軸回りに回動可能（開閉可能）に枢支連結されている。
【００２２】
前面扉７は、図７に示すように、ケース本体６に対して前方に引き出し可能とされている。
この前面扉７の支持構造を具体的に説明すると、図６に示すように、ケース本体６の前記ヒンジ１２が設けられる側の側壁６ｂ（本実施形態では右側壁）の内面には、上下一対で１組のレール壁１３が上下２組設けられている。各レール壁１３は前後方向に沿って設けられ、各組のレール壁１３間には扉支持部材１４が前後方向移動可能に嵌められている。上下各扉支持部材１４はケース本体６の右側の側壁６ｂに取り付けられた外れ止め部材１５によって、レール壁１３から左右方向内方へ外れるのが防止されている。上下の扉支持部材１４の後端同士は連結部材１６によって連結されている。上下各扉支持部材１４の前端側に、前面扉７を開閉可能に支持する前記ヒンジ１２が取り付けられている。したがって、扉支持部材１４が前後移動することにより前面扉７も前後移動する。これによって、前面扉７が前方側に引き出し可能とされている。前記連結部材１６は、前面扉７を引き出したときに後側の外れ止め部材１５に接当して前面扉７の前方移動を規制するストッパの機能を有する。
【００２３】
また、図８に示すように、前記ヒンジ１２の前面扉７に取り付けられる蝶番片１２ａの上下には係止爪１７（係止部）が設けられている。一方、上側のレール壁１３の上面側及び下側のレール壁１３の下面側のぞれぞれの前端側に、前面扉７を閉めたときに係止爪１７が係合する規制部１８が設けられている。この係止爪１７が規制部１８に係合することにより、前面扉７を閉めた状態では、該前面扉７を前方側に引き出せないようになっている。
【００２４】
また、この係止爪１７は前面扉７を少し開くと規制部１８から外れ、係止爪１７が規制部１８から外れると前面扉７を引き出せる。
本実施形態のカード払出し装置１０Ａ,１０Ｂの前面扉７は、前述したように、その前面部７ａがケース本体６の開口面から前方に離間した形状に形成されていて、前面扉７の左右の側部７ｂは前面部７ａから後方に向けて延出状とされている。
【００２５】
したがって、図７（ａ）に示すように、前面扉７を開く側に、他の販売ユニットＸが並設されている場合や、当該カード販売ユニット４を壁Ｙのコーナー部において壁Ｙ際に寄せて配置した場合などにおいて、前面扉７を開こうとすると、隣の販売ユニットＸ又は壁Ｙに当たって、前面扉７が開くことができない、又は大きく開くことができない。
そこで、このようなときに、前面扉７を引き出すことにより障害物との干渉を避けて該前面扉７を大きく開くことができる。
【００２６】
図１、２に示すように、前面扉７の正面側の上部には払い出される商品の見本Ｓ（単枚のカード又はカード束）を陳列する商品陳列部１９と、硬貨等のコインを投入するコイン投入口２０と、投入したコインを返却させるための返却レバー２１とが設けられている。
前面扉７の正面側の上下方向中途部には、販売する商品の内容を表示する内容表示部２２が設けられている。
【００２７】
前面扉７の正面側の下部には、商品の払出し操作をすべく外部から操作可能な操作ハンドル２３（これを外部操作ハンドルという）と、カード払出し装置１０Ａ,１０Ｂから払い出された商品を排出するカード排出口２４と、前面扉７を施錠する錠前を施錠・解錠操作するための錠操作部２５と、投入したコインの返却口２６等とが設けられている。
商品陳列部１９は、図２及び図９に示すように、商品見本Ｓが重ね合わされる陳列面２７と、商品見本Ｓを陳列面２７に保持する保持部２８とを有する。
【００２８】
前記陳列面２７は、左右方向に複数（本実施形態では３面）設けられ、それぞれ上下方向に直交する平坦面とされている。この３面の陳列面２７はそれぞれ正面側を向いているが、左右方向に関して相互に異なる方向を向くように配置されている（陳列面２７は相互に異なる方向で正面側を向いている）。
また、３面の陳列面２７は、前方に向けて凸となる平面視多角形を呈するように（前方で且つ放射外方を向くように）配置されている。
【００２９】
具体的には、中央の陳列面２７は左斜め前方を向いており、左側の陳列面２７は中央の陳列面２７よりもさらに左斜め前方を向いており、右側の陳列面２７は右斜め前方を向いている。なお、１面が真正面を向いていてもよい。
商品見本Ｓが重ね合わされる陳列面２７が平坦面であり（湾曲状ではなく）、左右方向
に関してそれぞれ異なる方向を向いているので、カード販売ユニット４の正面側に立った者が、真正面及び該真正面から左右方向に偏倚した位置のどの位置からも、商品見本Ｓが見やすいようになっている。
【００３０】
保持部２８は陳列面２７の上下に設けられていて、商品見本Ｓを陳列面２７に沿って横方向にスライドさせることにより、保持部２８が商品見本Ｓに係合して該商品見本Ｓが陳列面２７に保持される。
この商品陳列部１９は、図２（ｂ）に仮想線で示す透明カバー２９によって覆われる。
なお、図１等は透明カバー２９の上部を切り欠いた図とされている。
【００３１】
図１０に示すように、内容表示部２２は、販売するカード又はカード束に対応する図や文字や値段や注意書き等が表面に印刷された表示シート３０を添設する添設面３１と、この添設面３１に添設された表示シート３０の正面を覆う透明カバー３２とを備えている。
当然のことながら、表示シート３０は、販売するカード又はカード束に対応して付け替えられる。
【００３２】
図１２に示すように、表示シート３０の裏面には、表示シート３０を識別する（販売する商品に対応する識別コードを表示する）コード表示部３３が印刷されている。このコード表示部３３は、複数の識別エリアＥ１〜１２によって構成されている。本実施形態では、左右方向に並べて設けた６つの識別エリアを上下２段有する。
図１２（ｂ）は、コード表示部３３を表示シート３０の裏面から見た図であり、この図１２（ｂ）において、識別エリアＥ１〜１２を、上段の左端から右端にかけて順に第１〜６識別エリアＥ１〜６といい、下段の左端から右端にかけて順に第７〜１２識別エリアＥ７〜１２という。
【００３３】
第１識別エリアＥ１から第１０識別エリアＥ１０までが表示シート３０を識別する（識別コード用の）識別エリアＥ１〜１０であり、識別コードは１０桁の２進数で表される。第１識別エリアＥ１〜第１０識別エリアＥ１０は順に識別コードの１０ビット目〜１ビット目を示す。
また、第１１識別エリアＥ１１と第１２識別エリアＥ１２がエラー判定用の識別エリアＥ１１,Ｅ１２であり、エラー判定用コードは２桁の２進数で表される。第１１識別エリアＥ１１がエラー判定用コードの２ビット目を示し、第１２識別エリアＥ１２がエラー判定用コードの１ビット目を示す。
【００３４】
図例では、識別エリアＥ１〜１２の黒色が「０」を示し、白色が「１」を示す。したがって、図例の識別コードは「００００００１０１０」である。また、エラー判定用コードは「１０」であり、このエラー判定用コードは、表示シート識別用の識別エリアＥ１〜１０の白色の数を４で割った余りの数を２進数で表わしたものである。
識別コードは、種類の異なる表示シート３０ごとに異なるコードが割り振られる。したがって、識別コード及びエラー判定用コードを認識することにより、カード販売装置１に収容されているカードがどの種類のカードかがわかるようになっている。
【００３５】
なお、図例ではコード表示部３３に、便宜上、枠を施しているが、実際には、枠は不要である。
図１０に示すように、添設面３１の上下縁部側には表示シート３０を添設面３１に保持するための保持部３４がそれぞれ複数設けられている。また、添設面３１を構成する壁部の中央側には、前記コード表示部３３の識別エリアＥ１〜１２に対応する数及び対応する位置に設けられた透孔３５が形成され、図１１に示すように、添設面３１を構成する壁部の裏面には、前記各透孔３５に対応して配置された筒部材３６が設けられている。各筒部材３６は対応する透孔３５に連通している。
【００３６】
また、図１１に示すように、添設面３１を構成する壁部Ｗの裏面にはコード表示部３３の識別エリアＥ１〜１２から識別コード及びエラー判定用コードを読み取るコード読取装置３７が設けられている。
このコード読取装置３７は、図１２（ａ）に示すように、添設面３１を構成する壁部Ｗの裏面に取り付けられるホルダケース３８にセンサ盤３９を設けてなる。このセンサ盤３９には、コード表示部３３の識別エリアＥ１〜１２に対応する数及び対応する位置に設け
られた光センサ等からなる読取りセンサ４０が設けられている。各読取りセンサ４０は対応する位置の前記筒部材３６に後方側から挿入されていて、識別エリアＥ１〜１２の色を識別する。そして、読取りセンサ４０によって識別エリアＥ１〜１２の色を識別することにより、コード読取装置３７が表示シート３０に付された識別コード及びエラー判定用コードを読み取る。
【００３７】
販売されたカード又はカード束の枚数（販売数）は後述するカウントセンサ４１によってカウントされ、認識された識別コード及びエラー判定用コードと共に無線又は専用回線によって中央の集中管理装置に送られる。これによってカードの種類ごとの販売管理等をすることができる。
図２等に示すように、前記カード排出口２４は外部操作ハンドル２３の上方に位置する。
【００３８】
このカード排出口２４は、図１３及び図１４に示すように、上縁は左右方向にわたって面一状とされていると共に、左右方向中央部分４２の上下幅が、左右両側の側部分４３の上下幅に比べて幅広に形成されている。
このカード排出口２４は、全体的な左右幅が幅広カードに対応し、中央部分４２の左右幅が幅狭カードに対応している。
【００３９】
前面扉７の背面のカード排出口２４近傍には、幅狭カード用のカード払出し装置１０Ａを装着した場合に、カード排出口２４の左右両側の側部分４３を閉鎖する閉鎖部材４４が、左右の側部分４３に対応して左右一対設けられている。
この閉鎖部材４４は、閉鎖部材本体４５と、この閉鎖部材本体４５の下端に一体形成された回動支軸４６とを有する。
【００４０】
回動支軸４６は左右方向の軸心を有し、前面扉７の裏面で且つカード排出口２４上方に設けられた左右方向内外一対の軸支部材４７Ａ,４７Ｂに軸心回りに回動可能で左右移動可能に支持されている。
閉鎖部材本体４５の後面上部にはカード排出口２４の側部分４３に嵌る嵌合部４８が設けられている。また、閉鎖部材本体４５の上部には、係止突部４９が前後両面に設けられている。閉鎖部材本体４５の下部には左右方向内方側の軸支部材４７Ａに接当することにより、閉鎖部材４４の左右方向内方への移動を規制する接当部５０が設けられている。
【００４１】
前面扉７の背面には、閉鎖部材４４の回動支軸４６回りの回動を規制する回動規制部５１が設けられている。この回動規制部５１は、閉鎖部材本体４５の左右方向外方側に設けられていて、閉鎖部材本体４５の左右方向外方側の縁部壁４５ａが左右方向内方側から係合している。
また、前面扉７の背面には、前記係止突部４９が嵌る係止溝５２が上下一対設けられている。上側の係止溝５２Ａには閉鎖部材本体４５の前面側の係止突部４９Ａが嵌合可能であり、下側の係止溝５２Ｂには閉鎖部材本体４５の後面側の係止突部４９Ｂが嵌合可能である。上下各係止溝５２の左右方向内方側には左右方向に長い長溝５３が若干の間隔をおいて隣接されている。
【００４２】
前記構成の閉鎖部材４４にあっては、図１３及び図１４に実線で示す状態では、カード排出口２４の側部分４３が開放状とされ、回動規制部５１に閉鎖部材本体４５の左右方向外方側の縁部壁４５ａが係合していて閉鎖部材４４の回動支軸４６回りの下方側への回動が規制されていると共に、上側の係止溝５２Ａに閉鎖部材本体４５の前面側の係止突部４９Ａが嵌合していて閉鎖部材４４の左右方向内方への移動が規制されている。
【００４３】
この状態から閉鎖部材４４を接当部５０が左右方向内方側の軸支部材４７に接当するまで強制的に左右方向内方側に移動させると、閉鎖部材本体４５が弾性変形をして、前面側の係止突部４９Ａが、上側の係止溝５２Ａと長溝５３との間の境界壁部を乗り越えて長溝５３に移る。すると、閉鎖部材本体４５の左右方向外方側の縁部壁４５ａが回動規制部５１から外れ、閉鎖部材４４が回動可能となる。
【００４４】
この状態で、閉鎖部材本体４５を下方に向けて回動させると、図１４に仮想線で示すように、嵌合部４８がカード排出口２４の側部分４３に嵌ると共に、下側の長溝５３に閉鎖部材本体４５の後面側の係止突部４９Ｂが嵌る。この状態から閉鎖部材４４を左右方向外
方に移動させると、嵌合部４８の左右方向外方側の縁部壁４８ａがカード排出口２４の左右方向外方側の縁部に係合して閉鎖部材４４の上方側への回動が規制される。また、このとき、閉鎖部材本体４５の後面側の係止突部４９Ｂは、下側の係止溝５２Ｂと長溝５３との間の境界壁部を乗り越えて下側の係止溝５２Ｂに嵌り、閉鎖部材４４の左右方向内方側への移動が規制される。
【００４５】
幅狭カード用のカード払出し装置１０Ａを装着した場合に、カード排出口２４の左右両側の側部分４３を閉鎖部材４４によって閉鎖することにより、いたずら等をされるのを防止することができる。
図４、図５に示すように、前記装着台９の側方（右側方）には、コイン投入口２０に投入されたコインを案内するコインガイド５４と、図示省略のコインセレクタが装着されるコインセレクタ装着部５５と、コイン保持部５６と、コイン検出部５７と、コインを貯めるコイン貯め部５８とが設けられている。
【００４６】
コインガイド５４は投入されたコインをコインセレクタ装着部５５に装着されるコインセレクタに案内する。
コインセレクタは、投入されたコインが正貨（正規コイン）であるか偽造であるかを識別し、偽造であればコインを返却口２６に戻し、正貨であればコインをコイン保持部５６に送る。
【００４７】
コイン検出部５７はコイン保持部５６にコインが所定枚数保持されているか否かを検出し、保持されている場合にのみ商品の払出しを許容すると共に、商品の払出しに伴ってコイン保持部５６に保持されているコインをコイン貯め部５８に落下させる。
図１５に示すように、コイン検出部５７の左右方向内側部には、左右軸回りに回転する回転円板５９と、この回転円板５９と一体回転する平歯車からなる払出規制ギヤ６０とが設けられている。回転円板５９の上方には、接触型のカウントセンサ４１が設けられ、回転円板５９に設けられた接触部がカウントセンサ４１の接触子に接触することにより、回転円板５９の１回転が検出され、これが記録される。回転円板５９は１商品の払出しごとに１回転する。これにより、商品の販売数が記録されるようになっている。
【００４８】
前記払出規制ギヤ６０は、コイン検出部５７がコイン保持部５６にコインが所定枚数保持されていることを検出しないと、ロックされて回転不能となり、カード払出し装置１０Ａ,１０Ｂに収容された商品の払出しが行えないようになっている。また、コイン検出部５７がコイン保持部５６にコインが所定枚数保持されていることを検出するとロックが解除されて回転可能となり、カード払出し装置１０Ａ,１０Ｂに収容された商品の払出しが可能となる。
【００４９】
図１５及び図１６に示すように、装着台９には、外部操作ハンドル２３と一体回転する操作ハンドル６１（これを内部操作ハンドルという）と、払出規制ギヤ６０とカード払出し装置１０とを連動させる連動ギヤ機構６２と、内部操作ハンドル６１からの操作力をカード払出し装置１０Ａ,１０Ｂに伝達する伝達ギヤ機構６３とが設けられている。
内部操作ハンドル６１は装着台９の前面側に設けられ、連動ギヤ機構６２と伝達ギヤ機構６３とはコイン検出部５７が設けられた側の側部（右側部）に設けられている。
【００５０】
連動ギヤ機構６２は、払出規制ギヤ６０の下方に位置していて該払出規制ギヤ６０に噛み合う第１連動ギヤ６４と、この第１連動ギヤ６４の前方に位置していて該第１連動ギヤ６４に噛み合う第２連動ギヤ６５と、この第２連動ギヤ６５の前方に位置していて該第２連動ギヤ６５に噛み合う第３連動ギヤ６６（連動ギヤ）とを有する。これら第１〜３連動ギヤ６４，６５，６６は平歯車からなる。
【００５１】
伝達ギヤ機構６３は、前記連動ギヤ機構６２の第３連動ギヤ６６の前方側に位置する第１伝達ギヤ６７（伝達ギヤ）と、この第１伝達ギヤ６７の前方側に位置していて該第１伝達ギヤ６７と噛み合う第２伝達ギヤ６８と、この第２伝達ギヤ６８の左右方向内方側に位置していて該第２伝達ギヤ６８と同軸回りに一体回転する第３伝達ギヤ６９とを有する。第１、２伝達ギヤ６７，６８は平歯車からなり、第３伝達ギヤ６９はベベルギヤからなる。
【００５２】
装着台９は、図１５に示すように、上部材９Ａと下部材９Ｂとに２分割されており、前
記連動ギヤ機構６２と伝達ギヤ機構６３を構成する各ギヤ６４〜６９は、上部材９Ａと下部材９Ｂとの間で左右軸回りに回転可能に支持されている。
また、連動ギヤ機構６２の第１〜３連動ギヤ６４，６５，６６及び伝達ギヤ機構６３の第１伝達ギヤ６７は、装着台９の上部材９Ａから上方に露出状とされている。
【００５３】
本実施形態のカード販売装置１にあっては、外部操作ハンドル２３を正面視時計方向に回転操作することにより商品が払い出されるようになっており、内部操作ハンドル６１は、図１８に矢示Ｄで示す方向（ハンドル操作方向）に外部操作ハンドル２３と一体回転する。
この内部操作ハンドル６１は、図１６及び図１７に示すように、装着台９の前面側に設けられた支持部７０に前後軸回りに回転可能に支持されており、外部操作ハンドル２３に係合する前部材６１Ａと、この前部材６１Ａと一体回転可能な後部材６１Ｂとを有する。
【００５４】
また、図１８に示すように、内部操作ハンドル６１は外径が正面視円形状とされている。
図１７及び図１８に示すように、内部操作ハンドル６１の後部材６１Ｂの後面中心部には、該後部材６１Ｂと一体回転するベベルギヤからなる伝動ギヤ７１が固定され、この伝動ギヤ７１は、図１６に示すように、前記伝達ギヤ機構６３の第３伝達ギヤ６９と噛み合っている。
【００５５】
図１８に示すように、前部材６１Ａの前面には、外部操作ハンドル２３から操作力を受ける受動片７２が前部材６１Ａの前面の中心から十字状に延びるように設けられている。
各受動片７２は前部材６１Ａの前面から前方に突出しており、図１７に示すように、各受動片７２の、前部材６１Ａ外周側の部分が外部操作ハンドル２３に押動される被押動部７３とされている。
【００５６】
また、前部材６１Ａの前面の外周側で且つ各受動片７２のハンドル操作方向Ｄの前方側には補強リブ７４が設けられている。
図１８（ｃ）に示すように、前部材６１Ａの後面には凹部７５が形成され、この凹部７５内には、前部材６１Ａの直径方向に一対配置された動力伝達部材７６が配置され、この一対の動力伝達部材７６間には、圧縮コイルバネからなる付勢バネ７７が圧縮状に介装されていて、動力伝達部材７６が離間する方向に付勢されている。
【００５７】
また、凹部７５の内周面には、動力伝達部材７６にハンドル操作方向Ｄで接当する押圧面７８が各動力伝達部材７６に対して設けられている。また、凹部７５の内周面の押圧面７８の間は、ハンドル操作方向Ｄに向かうに従って徐々に径小となる円弧面からなるガイド面７９とされている。
図１８（ｄ）に示すように、後部材６１Ｂの前面には、動力伝達部材７６を挟むように設けられた一対の突出片８０が、各動力伝達部材７６に対応して設けられている。また、一対の突出片８０間には付勢バネ７７が嵌る凹溝８１が形成されている。
【００５８】
前記構成の内部操作ハンドル６１にあっては、外部操作ハンドル２３によって内部操作ハンドル６１の前部材６１Ａがハンドル操作方向Ｄに回転操作されると、押圧面７８が動力伝達部材７６を押圧すると共に該動力伝達部材７６が突出片８０を押圧することにより、前部材６１Ａと後部材６１Ｂとがハンドル操作方向Ｄに一体回転するよう構成されている。
【００５９】
この内部操作ハンドル６１は、後述するように、商品を送り出す払出しローラ８２Ａ，８２Ｂに連動されており、この払出しローラ８２Ａ，８２Ｂがロックされているときには、外部操作ハンドル２３によって内部操作ハンドル６１をハンドル操作方向Ｄに操作しようとしても回転しないが、このとき外部操作ハンドル２３を強制的に回すと、押圧面７８が一対の動力伝達部材７６を付勢バネ７７の付勢力に抗して相互に近接する方向に案内し、動力伝達部材７６がガイド面７９に乗り上げる。これによって内部操作ハンドル６１の前部材６１Ａと後部材６１Ｂとが相対回転し、外部操作ハンドル２３が空回りするよう構成されている。
【００６０】
前記外部操作ハンドル２３は、図１９に示すように、後方に向けて開放した腕状の握り部８３と、該握り部８３の後端側全周にわたって形成された筒状の被取付部８４とを有す
る。
被取付部８４には取付部材８５が嵌合され、該取付部材８５を前面扉７の背面に後方側から取り付けることにより、外部操作ハンドル２３が前面扉７に前後軸回りに回動可能に取り付けられる（図６参照）。
【００６１】
外部操作ハンドル２３の内部の後端側には、内部操作ハンドル６１の受動片７２の被押動部７３にハンドル操作方向Ｄで接当可能な押動壁８６が周方向に等間隔をおいて多数設けられている。この外部操作ハンドル２３を正面視時計方向に回転操作すると、押動壁８６が被押動部７３を押圧し、これにより、内部操作ハンドル６１が外部操作ハンドル２３と一体回転する。本実施形態では、前記内部操作ハンドル６１の受動片７２が４枚であるのに対し、押動壁８６は１２枚設けられている。
【００６２】
各押動壁８６は被取付部８４の内周面から径内側に延びる壁部とされ、その延出端側からハンドル操作方向Ｄとは反対側（反ハンドル操作方向）に延び且つ反ハンドル操作方向に向かうに従って前方に移行する傾斜状とされた傾斜案内面８７が外部操作ハンドル２３に設けられている。
この外部操作ハンドル２３は、図１９（ｃ）に示すように、前面扉７を閉めた状態で、その押動壁８６が内部操作ハンドル６１の被押動部７３のハンドル操作方向Ｄ後側に位置可能となる（内部操作ハンドル６１に一体回動可能に係合可能となる）。また、前面扉７を閉めたときに、外部操作ハンドル２３の押動壁８６が内部操作ハンドル６１の被押動部７３のハンドル操作方向Ｄ前側に位置するときは、傾斜案内面８７が被押動部７３に接当し、該傾斜案内面８７の傾斜面の作用によって外部操作ハンドル２３がハンドル操作方向Ｄに回転し、隣接する他の押動壁８６が内部操作ハンドル６１の被押動部７３のハンドル操作方向Ｄ後側に位置するよう構成されている。
【００６３】
図３、図４及び図５に示すように、幅狭カード用、幅広カード用の各カード払出し装置１０Ａ,１０Ｂは、商品を上下方向に積み重ねて収納する商品収納ケース８８Ａ，８８Ｂを備えている。
また、図２０、図２１に示すように、各カード払出し装置１０Ａ,１０Ｂの商品収納ケース８８Ａ，８８Ｂの下端側の前部には、左右軸回りに回転することにより商品Ｋを前方に送り出す払出しローラ８２Ａ，８２Ｂと、最上部の商品Ｋの上面側から積層状の商品Ｋに重しをかける重鎮８９Ａ，８９Ｂと、積み重ねられた商品Ｋの前側に位置していて該積み重ねられた商品Ｋの下から２番目以上の商品Ｋの送り出しを阻止する衝立部材９０Ａ，９０Ｂと、この衝立部材９０Ａ，９０Ｂの下側を通り抜けてくる商品Ｋを受持する商品受け部９１Ａ，９１Ｂと、商品Ｋの払出し通路を塞ぐと共に払出しローラ８２Ａ，８２Ｂによって前方に送られる商品Ｋに押されて開く開閉扉９２Ａ，９２Ｂとがそれぞれ設けられている。
【００６４】
図２０は幅狭カード用のカード払出し装置１０Ａの下部を示し、図２１は幅広カード用のカード払出し装置１０Ｂの下部を示している。
図２２、図２３に示すように、各カード払出し装置１０Ａ,１０Ｂの払出しローラ８２Ａ，８２Ｂの右側には、払出しローラ８２Ａ，８２Ｂと一体回転する払出しギヤ９３Ａ，９３Ｂが設けられ、この払出しギヤ９３Ａ，９３Ｂが前記伝達ギヤ機構６３の第１伝達ギヤ６７に噛合することにより、外部操作ハンドル２３の操作力が、内部操作ハンドル６１の伝動ギヤ７１及び伝達ギヤ機構６３を介して払出しギヤ９３Ａ，９３Ｂに伝達されることにより、払出しローラ８２Ａ，８２Ｂが回転し（図２０、図２１の側面視において反時計方向に回転し）、該払出しローラ８２Ａ，８２Ｂによって最下端の商品Ｋが送り出される。
【００６５】
図２２は幅狭カード用のカード払出し装置１０Ａを下方から見た図を示し、図２１は幅広カード用のカード払出し装置１０Ｂを下方から見た図を示している。
前記各払出しギヤ９３Ａ，９３Ｂは、図２４に示すように、各カード払出し装置１０Ａ,１０Ｂを装着台９に装着する際に、上方から配置することにより、伝達ギヤ機構６３の第１伝達ギヤ６７に噛合すると共に、前記連動ギヤ機構６２の第３連動ギヤ６６にも噛合する。
【００６６】
これによって、前記払出規制ギヤ６０がロックされているときに、連動ギヤ機構６２を介して払出しローラ８２Ａ，８２Ｂがロックされると共に伝達ギヤ機構６３を介して外部操作ハンドル２３及び内部操作ハンドル６１がロックされる。
このとき、強制的に外部操作ハンドル２３を回そうとすると、前述したように、内部操作ハンドル６１の動力伝達部材７６が押圧面７８から外れて外部操作ハンドル２３が空回りし、外部操作ハンドル２３からの無理な駆動力を払出しローラ８２Ａ，８２Ｂに伝達されるのが防止される。
【００６７】
図２２に示すように、幅狭カード用のカード払出し装置１０Ａの商品収納ケース８８Ａの底部側には、払出しローラ８２Ａの支軸の左端側を軸支する軸支部９４と、払出しローラ８２Ａの右側を回転可能に支持する回転支持部９５とが設けられている。該幅狭カード用のカード払出し装置１０Ａの払出しギヤ９３Ａは回転支持部９５の右側に位置し、払出しギヤ９３Ａと回転支持部９５との間には該払出しギヤ９３Ａと一体回転するロックギヤ９６が設けられている。このロックギヤ９６は、商品Ｋがなくなったときに、重鎮８９Ａに設けたロック係合部９７（図２０に示す）が係合することにより、払出しローラ８２Ａが回転しないように該払出しローラ８２Ａをロックするものである。
【００６８】
幅広カード用のカード払出し装置１０Ｂにあっては、商品Ｋがなくなったときに、重鎮８９Ｂの下面側に設けた図示省略のロック係合部が払出しギヤ９３Ｂに係合することにより、払出しローラ８２Ｂが回転しないように該払出しローラ８２Ｂがロックされる。
図１５に示すように、前記装着台９の上部材９Ａの前部には、幅狭カード用のカード払出し装置１０Ａの商品収納ケース８８Ａを取り付けるための取付孔９８と、幅広カード用のカード払出し装置１０Ｂの商品収納ケース８８Ｂを取り付けるための取付孔９９とが形成されている。
【００６９】
また、装着台９の上部材９Ａの前部には、払出しローラ挿入部１００と、該払出しローラ挿入部１００の左右両側に位置する支持ローラ挿入部１０１とが凹設されている。
払出しローラ挿入部１００の右側底部には、連動ギヤ機構６２の第３連動ギヤ６６及び伝達ギヤ機構６３の第１伝達ギヤ６７が露出状とされている。
また、払出しローラ挿入部１００と支持ローラ挿入部１０１との間の仕切部１０３及び支持ローラ挿入部１０１の左右方向外方側には、それぞれ軸支溝１０２が形成されている。
【００７０】
一方、図２２に示すように、幅狭カード用のカード払出し装置１０Ａの商品収納ケース８８Ａの下端側の後端側には、左右一対の取付片１０４が設けられ、各取付片１０４に取付孔１０５が形成されている。この幅狭カード用の商品収納ケース８８Ａを装着台９上に載置し、装着台９の取付孔９８と商品収納ケース８８Ａの取付孔１０５とを一致させて、両者にワンタッチ式のラッチ具を挿通することにより、該商品収納ケース８８Ａが取り付けられる。
【００７１】
この幅狭カード用のカード払出し装置１０Ａにあっては、その商品収納ケース８８Ａを上方から装着台９上に載置することにより、図２５に示すように、払出しローラ挿入部１００に払出しローラ８２Ａと払出しギヤ９３Ａとロックギヤ９６とが配置され、且つ払出しギヤ９３Ａが連動ギヤ機構６２の第３連動ギヤ６６及び伝達ギヤ機構６３の第１伝達ギヤ６７に噛み合う。
【００７２】
したがって、この幅狭カード用のカード払出し装置１０Ａにあっては、商品収納ケース８８Ａに払出しローラ８２Ａや払出しギヤ９３Ａ等が組み付けられてユニットとなっているので、商品収納ケース８８Ａを装着台９に取り付けることにより、幅狭カード用のカード払出し装置１０Ａが装着台９に装着される。
図２３に示すように、幅広カード用のカード払出し装置１０Ｂは、払出しローラ８２Ｂの左右両側に位置する案内ローラ１０６と支持ローラ１０７とを有する。また、幅広カード用のカード払出し装置１０Ｂの商品収納ケース８８Ｂの下面には取付孔１０８が形成されている。
【００７３】
案内ローラ１０６は払出しローラ８２Ｂの左右の側方に配置されて該払出しローラ８２Ｂと一体回転する。右側の支持ローラ１０７は払出しギヤ９３Ｂの右側方に配置され、左
側の支持ローラ１０７は案内ローラ１０６の左側方に配置される。
これら払出しローラ８２Ｂ、案内ローラ１０６及び払出しギヤ９３Ｂと、左右の支持ローラ１０７は、幅広カード用の商品収納ケース８８Ｂには取り付けられてはいなく、該商品収納ケース８８Ｂとは別に装着台９に配置される。
【００７４】
図２６に示すように、幅広カード用のカード払出し装置１０Ｂの払出しローラ８２Ｂ、案内ローラ１０６及び払出しギヤ９３Ｂは払出しローラ挿入部１００に配置されて、軸支溝１０２に回転可能に支持される。また、これらを払出しローラ挿入部１００に配置すると払出しギヤ９３Ｂが連動ギヤ機構６２の第３連動ギヤ６６及び伝達ギヤ機構６３の第１伝達ギヤ６７に噛み合う。
【００７５】
支持ローラ１０７は、支持ローラ挿入部１０１に配置されて、軸支溝１０２に回転可能に支持される。
これら払出しローラ８２Ｂ、案内ローラ１０６及び払出しギヤ９３Ｂと、支持ローラ１０７とを装着台９に配置した後に、幅広カード用の商品収納ケース８８Ａが装着台９に取り付けられる。
【００７６】
幅広カード用の商品収納ケース８８Ｂは、該商品収納ケース８８Ｂを装着台９上に載置し、装着台９の取付孔９９と商品収納ケース８８Ｂの取付孔１０８とを一致させて、両者にワンタッチ式のラッチ具を挿通することにより、装着台９に取り付けられる。
この幅広カード用の商品収納ケース８８Ｂを装着台９に取り付けることにより、該商品収納ケース８８Ｂによって、払出しローラ８２Ｂ、案内ローラ１０６及び払出しギヤ９３Ｂと、支持ローラ１０７との外れ止めがなされる。
【００７７】
図２１に示すように、幅広カード用の払出しローラ８２Ｂは側面視扇形に形成され、支持ローラ１０７は払出しローラ８２Ｂの円弧部分の外径より径小に形成されている。案内ローラ１０６は、払出しローラ８２Ｂの円弧部分と支持ローラ１０７の外径との段差をうめるように、払出しローラ８２Ｂの円弧部分から払出しローラ８２Ｂの回転方向Ｆに向かうに従って漸次径小となるように形成されている。この案内ローラ１０６は、回転方向Ｆ後端側が払出しローラ８２Ｂの円弧部分と略同径に形成され、回転方向Ｆ前端側が支持ローラ１０７と略同径に形成されている。
【００７８】
前記幅広カード用の払出しローラ８２Ｂは円弧部分で商品Ｋを所定量送り出し、該払出しローラ８２Ｂの円弧部分が商品Ｋから外れると、商品Ｋは支持ローラ１０７上に載る。この状態で商品Ｋが引き出される。次に、送り出される商品Ｋは、最初は支持ローラ１０７に載っているが、払出しローラ８２Ｂが回転すると、案内ローラ１０６によって押し上げられて払出しローラ８２Ｂの円弧部分に載り移り、該円弧部分で商品Ｋが送り出される。
【００７９】
当該カード販売装置１によって販売される商品Ｋは、単枚のカード又はカードを複数枚束にしたカード束であり、また、カード束も、束にするカードの枚数が異なることから、販売される商品Ｋの厚みが異なる場合がある。この販売される商品Ｋの厚みに対応して衝立部材９０Ａ，９０Ｂの上下位置を調整しなければならないが、本実施形態にあっては、この衝立部材９０Ａ，９０Ｂの上下位置調整を容易に行えるように構成されている。
【００８０】
本実施形態にあっては、各カード払出し装置１０Ａ,１０Ｂの衝立部材９０Ａ，９０Ｂは、それぞれ商品収納ケース８８Ａ，８８Ｂの側壁に上下動可能に支持されており、それぞれ上下位置調整機構によって上下位置調整可能とされている。
先ず、図２７、図２８を参照して、幅狭カード用のカード払出し装置１０Ａの上下位置調整機構１０９Ａ，１０９Ｂについて説明する。
【００８１】
この幅狭カード用のカード払出し装置１０Ａの上下位置調整機構１０９Ａは、スライド部材１１０Ａと、このスライド部材１１０Ａを前後方向スライド可能にガイドするガイド部１２０，１２１とを有する。
また、この幅狭カード用のカード払出し装置１０Ａの衝立部材９０Ａには、その左右両側面の上下方向中途部に、左右方向外方に突出する操作ピン１１２Ａが設けられている。この操作ピン１１２Ａは、商品収納ケース８８Ａの側壁１２２を挿通して該商品収納ケース８８Ａの左右両側に突出している。この操作ピン１１２Ａが挿通される挿通孔１１３Ａ
は衝立部材９０Ａの所定範囲の上下動を許容するように上下方向に長い長孔に形成されている。
【００８２】
前記スライド部材１１０Ａは、上壁１１４と、この上壁１１４の左右両側から後方に延びる延出壁１１５と、上壁１１４の左右両側及び左右延出壁１１５の下面から下方側に延出された側部壁１１６と、上壁１１４の後端縁から上方に延びる摘み壁１１８とを備えている。
上壁１１４は商品収納ケース８８Ａの下部前部の壁部１１９（図２０参照）に前後移動可能に載置されている。延出壁１１５及び側部壁１１６は商品収納ケース８８Ａの下部側方に位置している。
【００８３】
摘み壁１１８は壁面が前後方向を向くように上壁１１４の左右一端から他端にわたって設けられていて、スライド部材１１０Ａを前後にスライド操作可能とされている。
前記ガイド部１２０，１２１として、ガイド壁１２０とガイドネジ１２１とが設けられている。
ガイド壁１２０は、スライド部材１１０Ａの左右各側部壁１１６の上下に配置されている。この上下のガイド壁１２０は、商品収納ケース８８Ａの左右の側壁１２２から左右方向外方に突出状に設けられ、上側のガイド壁１２０は延出壁１１５上面に摺接し、下側のガイド壁１２０はスライド部材１１０Ａの側部壁１１６下端に摺接している。
【００８４】
ガイドネジ１２１は、スライド部材１１０Ａの左右各側部壁１１６の前部に形成された挿通孔１２３を挿通して、商品収納ケース８８Ａの側壁１２２に形成されたネジ孔に螺合されている。また、このガイドネジ１２１が挿通される挿通孔１２３は前後方向に長い長孔に形成されている。
これらガイド壁１２０、ガイドネジ１２１によってスライド部材１１０Ａが前後方向移動可能にガイドされる。
【００８５】
スライド部材１１０Ａの左右各側部壁１１６は、操作ピン１１２Ａが挿通していて衝立部材９０Ａを上下方向で位置決めする位置決め溝１２４Ａと、スライド部材１１０Ａを前後方向で位置決めする位置決めアーム１２５Ａとを有する。
位置決め溝１２４Ａは、前方に向かうに従って段々と低くなる階段状に形成されている。したがって、スライド部材１１０Ａを前後にスライドさせることにより、衝立部材９０Ａを上下方向複数位置に位置決めする。本実施形態では、衝立部材９０Ａを上下方向４位置に位置決め可能としている。
【００８６】
位置決めアーム１２５Ａは、各側部壁１１６の後部の上部に前後方向に延びるように設けられ、後端側上面に位置決め係合部１２６Ａが設けられている。
一方、前記上側のガイド壁１２０の後部下面には、位置決め係合部１２６Ａが嵌る係止溝１２７Ａが前後方向に間隔をおいて複数形成されている。この係止溝１２７Ａは、位置決め溝１２４Ａが衝立部材９０Ａを位置決めする位置で位置決め係合部１２６Ａが嵌るように形成されている。したがって、本実施形態では、衝立部材９０Ａが４位置に位置決め可能であるので、それに対応して係止溝１２７Ａも４つ設けられている。位置決めアーム１２５Ａは上下に弾性変形可能とされ、スライド部材１１０Ａを強制的にスライドさせることにより、位置決めアーム１２５Ａが下方側に弾性変形して位置決め係合部１２６Ａが係止溝１２７Ａから外れ、衝立部材９０Ａが位置決めされる位置で弾性復元力により復元して位置決め係合部１２６Ａが係止溝１２７Ａに嵌る。
【００８７】
次に、図２９、図３０を参照して、幅広カード用のカード払出し装置１０Ｂの上下位置調整機構１０９Ｂについて説明する。
この幅広カード用のカード払出し装置１０Ｂの上下位置調整機構１０９Ｂも、スライド部材１１０Ｂと、このスライド部材１１０Ｂを前後方向スライド可能にガイドするガイド部１３２,１３３とを有する。
【００８８】
また、この幅広カード用のカード払出し装置１０Ｂの衝立部材９０Ｂには、その前面側に前方に突出する左右一対の操作ピン１１２Ｂが設けられている。この操作ピン１１２Ｂは、衝立部材９０Ｂの前側に位置する商品収納ケース８８Ｂの前壁１２８に形成された挿通孔１１３Ｂを挿通して前方に突出している。この操作ピン１１２Ｂが挿通される挿通孔
１１３Ｂは衝立部材９０Ｂの所定範囲の上下動を許容するように上下方向に長い長孔に形成されている。
【００８９】
スライド部材１１０Ｂは、商品収納ケース８８Ｂの前記前壁１２８の前方側に平行状に位置する主壁１２９と、該主壁１２９の前面から前方に突出する摘み部１３０とを有する。
主壁１２９は、商品収納ケース８８Ｂの前記前壁１２８の下端から前方に突出する支持壁１３１（図２１参照）上に左右方向スライド可能に支持されている。
【００９０】
ガイド部１３２,１３３として、ガイド壁１３２Ｕ,１３２Ｄと、ガイド突部１３３とが設けられている。
ガイド壁１３２は、左右一対の上側のガイド壁１３２Ｕと、左右一対の下側のガイド壁１３２Ｄが設けられている。上側のガイド壁１３２Ｕは、商品収納ケース８８Ｂの前記前壁１２８の上端から前方突出状に形成されていて、スライド部材１１０Ｂの主壁１２９の上端に摺接する。下側のガイド壁１３２Ｄは、商品収納ケース８８Ｂの前記支持壁１３１から上方突出状に形成されていて、スライド部材１１０Ｂの主壁１２９の前面下部に摺接する。
【００９１】
ガイド突部１３３は、商品収納ケース８８Ｂの前記前壁１２８の左右方向中央部から前方に突出していてスライド部材１１０Ｂの主壁１２９に形成した挿通孔１３４を挿通している。このガイド突部１３３が挿通する挿通孔１３４は左右方向に長い長孔に形成されている。
スライド部材１１０Ｂの主壁１２９は、操作ピン１１２Ｂが挿通していて衝立部材９０Ｂを上下方向で位置決めする位置決め溝１２４Ｂと、スライド部材１１０Ｂを左右方向で位置決めする位置決めアーム１２５Ｂとを有する。
【００９２】
位置決め溝１２４Ｂは、左右一対形成されていて、左方に向かうに従って段々と低くなる階段状に形成されている。したがって、スライド部材１１０Ｂを左右方向にスライドさせることにより、衝立部材９０Ｂが上下方向複数位置に位置決めされる。本実施形態では、衝立部材９０Ｂを上下方向４位置に位置決め可能としている。
位置決めアーム１２５Ｂは、スライド部材１１０Ｂの左側に貫通形成された矩形開口１３５の右側縁部から左方延出状に形成され、延出端側（左端側）が位置決め係合部１２６Ｂとされている
一方、商品収納ケース８８Ｂの前記前壁１２８の前面側には、位置決めアーム１２５の位置決め係合部１２６Ｂが嵌る係止溝１２７Ｂが左右方向に間隔をおいて複数形成されている。この係止溝１２７Ｂは、位置決め溝１２４Ｂが衝立部材９０Ｂを位置決めする位置で位置決め係合部１２６Ｂが嵌るように形成されている。したがって、本実施形態では、衝立部材９０Ｂが４位置に位置決め可能であるので、それに対応して係止溝１２７Ｂも４つ設けられている。位置決めアーム１２５は前後に弾性変形可能とされ、スライド部材１１０Ｂを強制的にスライドさせることにより、位置決めアーム１２５が前方側に弾性変形して位置決め係合部１２６Ｂが係止溝１２７Ｂから外れ、衝立部材９０Ｂが位置決めされる位置で弾性復元力により復元して位置決め係合部１２６Ｂが係止溝１２７Ｂに嵌る。
【符号の説明】
【００９３】
８      収容ケース
９      装着台
１０Ａ    商品払出し装置
１０Ｂ    商品払出し装置
１１      収容スペース
２３      操作ハンドル
６０      払出規制ギヤ
６６      連動ギヤ
６７      伝達ギヤ
８２Ａ    払出しローラ
８２Ｂ    払出しローラ
８８Ａ    商品収納ケース
８８Ｂ    商品収納ケース
９０Ａ    衝立部材
９０Ｂ    衝立部材
９３Ａ    払出しギヤ
９３Ｂ    払出しギヤ
１０９Ａ    上下位置調整機構
１０９Ｂ    上下位置調整機構
１１０Ａ    スライド部材
１１０Ｂ    スライド部材
【要約】
【課題】コスト低下を図れる販売装置であって、販売装置を、該販売装置に収容される商品とは大きさの異なる商品を販売する販売装置に換える際に、簡単に換えることができる販売装置を提供する。
【解決手段】収納した商品を払い出す商品払出し装置と、この商品払出し装置を収容する収容ケースとを備え、前記収容ケース内に、一の商品払出し装置と、該一の商品払出し装置に収納される商品とは大きさの異なる商品を収納する他の商品払出し装置とを選択的に取付可能な装着台を設ける。
【選択図】図３【図１】
0005415605.tif 000002
【図２】
0005415605.tif 000003
【図３】
0005415605.tif 000004
【図４】
0005415605.tif 000005
【図５】
0005415605.tif 000006
【図６】
0005415605.tif 000007
【図７】
0005415605.tif 000008
【図８】
0005415605.tif 000009
【図９】
0005415605.tif 000010
【図１０】
0005415605.tif 000011
【図１１】
0005415605.tif 000012
【図１２】
0005415605.tif 000013
【図１３】
0005415605.tif 000014
【図１４】
0005415605.tif 000015
【図１５】
0005415605.tif 000016
【図１６】
0005415605.tif 000017
【図１７】
0005415605.tif 000018
【図１８】
0005415605.tif 000019
【図１９】
0005415605.tif 000020
【図２０】
0005415605.tif 000021
【図２１】
0005415605.tif 000022
【図２２】
0005415605.tif 000023
【図２３】
0005415605.tif 000024
【図２４】
0005415605.tif 000025
【図２５】
0005415605.tif 000026
【図２６】
0005415605.tif 000027
【図２７】
0005415605.tif 000028
【図２８】
0005415605.tif 000029
【図２９】
0005415605.tif 000030
【図３０】
0005415605.tif 000031